【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
車両の状態を監視する車両状態監視手段と、
該車両状態監視手段により検出された前記車両の状態が正常かあるいは何らかの異常が生じた状態かを判定する判定手段と、
前記判定手段の判定結果を予め登録された通信端末機に送信する通信手段と、
を有する車両管理システムであって、
前記判定手段により前記車両で異常が発生したと判定された場合に、前記通信端末機に当該車両の異常発生のみを通知する通知手段を備えたことを特徴とする車両管理システム。
【請求項２】
前記判定手段は、前記通信端末機及び前記通信手段と通信可能なセンタに設けられたことを特徴とする請求項１に記載の車両管理システム。
【請求項３】
前記センタは、予め正規登録された正規登録情報の入力により前記通信端末機との接続を許可する通信許可手段を有することを特徴とする請求項２に記載の車両管理システム。
【請求項４】
前記センタは、前記通信端末機への通知を送信した後、前記通信許可手段による許可を得た場合に前記異常内容を含む情報を前記通信端末機へ送信する車両情報送信手段を有することを特徴とする請求項３に記載の車両管理システム。
【請求項５】
前記車両情報送信手段は、前記センタのWEBサイトに接続された前記通信端末機に対して当該WEBサイトのホームページに開示された車両情報を閲覧できるように送信することを特徴とする請求項４に記載の車両管理システム。
【請求項６】
車両の状態を監視する車両状態監視手段と、
該車両状態監視手段により検出された前記車両の状態が正常かあるいは何らかの異常が生じた状態かを判定する判定手段と、
前記判定手段の判定結果を予め登録された通信端末機に送信する通信手段と、
を有する車両管理システムであって、
前記判定手段の判定結果に応じて前記通信端末機に当該車両の異常の有無を通知する通知手段と、
異常発生の有無を通知した後に当該車両の所有者から前記通信端末機による問い合わせがあった場合には、前記異常に対する詳細情報を当該所有者の前記通信端末機に送信する車両情報送信手段と、
を備えたことを特徴とする車両管理システム。
【請求項７】
車両の状態を監視する車両状態監視手段と、
該車両状態監視手段により検出された前記車両の状態が正常かあるいは何らかの異常が生じた状態かを判定する判定手段と、
前記判定手段の判定結果を予め登録された通信端末機に送信する通信手段と、
を有する車両管理システムの制御方法であって、
前記判定手段により前記車両で異常が発生したか否かを判定する手順と、
前記判定手段の判定結果において、前記車両で異常が発生した場合に、前記通信端末機に当該車両の異常発生のみを通知する手順と、
異常発生の有無を通知した後に当該車両の所有者から前記通信端末機による問い合わせがあった場合には、前記異常に対する詳細情報を当該所有者の前記通信端末機に送信する手順と、
を有することを特徴とする車両管理システムの制御方法。
【手続補正２】
【補正対象書類名】明細書
【補正対象項目名】発明の名称
【補正方法】変更
【補正の内容】
【発明の名称】車両管理システム及びその制御方法
【手続補正３】
【補正対象書類名】明細書
【補正対象項目名】０００１
【補正方法】変更
【補正の内容】
【０００１】
本発明は車両管理システム及びその制御方法に係り、特に所有者からの設定操作により車両の状態を検出し、何らかの異常が検出された場合に当該車両の所有者に対して異常があることを通知するよう構成された車両管理システム及びその制御方法に関する。
【手続補正４】
【補正対象書類名】明細書
【補正対象項目名】０００５
【補正方法】変更
【補正の内容】
【０００５】
そこで、本発明は車両の異常発生のみを通知し、所有者の通信端末機から問い合わせがあった場合には、異常に対する詳細情報を当該所有者に送信することで上記課題を解決した車両管理システム及びその制御方法を提供することを目的とする。
【手続補正５】
【補正対象書類名】明細書
【補正対象項目名】０００７
【補正方法】変更
【補正の内容】
【０００７】
請求項１記載の発明は、車両の状態を監視する車両状態監視手段と、該車両状態監視手段により検出された前記車両の状態が正常かあるいは何らかの異常が生じた状態かを判定する判定手段と、前記判定手段の判定結果を予め登録された通信端末機に送信する通信手段と、を有する車両管理システムであって、前記判定手段により前記車両で異常が発生したと判定された場合に、前記通信端末機に当該車両の異常発生のみを通知する通知手段を備えたことを特徴とする。
【手続補正６】
【補正対象書類名】明細書
【補正対象項目名】００１１
【補正方法】変更
【補正の内容】
【００１１】
請求項５記載の発明は、前記車両情報送信手段が、前記センタのWEBサイトに接続された前記通信端末機に対して当該WEBサイトのホームページに開示された車両情報を閲覧できるように送信することを特徴とする。
請求項６記載の発明は、車両の状態を監視する車両状態監視手段と、該車両状態監視手段により検出された前記車両の状態が正常かあるいは何らかの異常が生じた状態かを判定する判定手段と、前記判定手段の判定結果を予め登録された通信端末機に送信する通信手段と、を有する車両管理システムであって、前記判定手段の判定結果に応じて前記通信端末機に当該車両の異常の有無を通知する通知手段と、異常発生の有無を通知した後に当該車両の所有者から問い合わせがあった場合に前記異常に対する詳細情報を当該所有者に送信する車両情報送信手段と、を備えたことを特徴とする。
請求項７記載の発明は、車両の状態を監視する車両状態監視手段と、該車両状態監視手段により検出された前記車両の状態が正常かあるいは何らかの異常が生じた状態かを判定する判定手段と、前記判定手段の判定結果を予め登録された通信端末機に送信する通信手段と、を有する車両管理システムの制御方法であって、前記判定手段により前記車両で異常が発生したか否かを判定する手順と、前記判定手段の判定結果において、前記車両で異常が発生した場合に、前記通信端末機に当該車両の異常発生のみを通知する手順と、異常発生の有無を通知した後に当該車両の所有者から前記通信端末機による問い合わせがあった場合には、前記異常に対する詳細情報を当該所有者の前記通信端末機に送信する手順と、を有することを特徴とする。
【手続補正７】
【補正対象書類名】明細書
【補正対象項目名】００１４
【補正方法】変更
【補正の内容】
【００１４】
また、本発明によれば、センタのWEBサイトに接続された通信端末機に対して当該WEBサイトのホームページに開示された車両情報を閲覧できるように送信するため、WEBサイトに接続しようとする端末機に対してＩＤ及びパスワードの入力を要求することが可能になり、本人以外の第三者が通信許可を得ることができず、通信端末機を操作して異常内容を知ることができない。
さらに、本発明によれば、異常発生の有無を通知した後に当該車両の所有者から問い合わせがあった場合には、異常に対する詳細情報を当該所有者の通信端末機に送信することにより、当該車両から離れた場所にいても所有者が当該車両の異常内容を確認することができ、第三者が所有者に代わって当該車両の異常内容を確認することを防止できる。
【手続補正８】
【補正対象書類名】明細書
【補正対象項目名】００１６
【補正方法】変更
【補正の内容】
【００１６】
図１は本発明になる車両管理システム及びその制御方法の一実施例を示すシステム構成図である。図１に示されるように、車両管理システム１０は、自動車等の車両１２に搭載された車載コンピュータ１４において、車両１２に搭載された各種機器の状態を監視し、各機器が正常に機能している否かを判定するシステムである。
【手続補正９】
【補正対象書類名】明細書
【補正対象項目名】００４７
【補正方法】変更
【補正の内容】
【００４７】
【図１】本発明になる車両管理システム及びその制御方法の一実施例を示すシステム構成図である。
【図２】車載コンピュータ１４が実行する制御処理を説明するためのフローチャートである。
【図３】センタ５０及び携帯電話機４０の制御処理を説明するためのフローチャートである。